【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
開口絞りと、前記開口絞りの物体側に配置された物体側レンズ群グループと、前記開口絞りよりも像側に配置された像側レンズ群グループと、からなり、
前記物体側レンズ群グループは、複数のレンズを含み、正屈折力を有し、且つ位置が固定され、
前記像側レンズ群グループは、光軸に沿って前記開口絞りから像側に向かって順に、
負屈折力を有する第１像側レンズ群と、正屈折力を有する第２像側レンズ群と、負屈折力を有する第３像側レンズ群と、正屈折力を有し、位置が固定の第４像側レンズ群と、からなるか、又は、
正屈折力を有し、位置が固定のレンズ群と、負屈折力を有する第１像側レンズ群と、正屈折力を有する第２像側レンズ群と、負屈折力を有する第３像側レンズ群と、正屈折力を有し、位置が固定の第４像側レンズ群と、からなり、
前記第１像側レンズ群、前記第２像側レンズ群及び前記第３像側レンズ群のうち何れか一つのレンズ群は、無限遠物体から近距離物体への合焦の際に光軸に沿って移動する合焦レンズ群であり、残りの２つのレンズ群のうち、一方のレンズ群はブレ補正レンズ群で、他方のレンズ群は位置が固定のレンズ群であり、
前記ブレ補正レンズ群は、結像レンズ系のブレによる像のブレを軽減させるように光軸の方向とは異なる方向に移動し、
以下の条件式（１）を満足することを特徴とする結像レンズ系。
０．０６＜｜ｆfo／ｆ｜＜０．４      （１）
ただし、
ｆは、無限遠物体合焦時における前記結像レンズ系の焦点距離、
ｆfoは、前記合焦レンズ群の焦点距離、
である。
【請求項２】
開口絞りと、前記開口絞りの物体側に配置された物体側レンズ群グループと、前記開口絞りよりも像側に配置された像側レンズ群グループと、からなり、
前記物体側レンズ群グループは、複数のレンズを含み、正屈折力を有し、且つ位置が固定され、
前記像側レンズ群グループは、光軸に沿って前記開口絞りから像側に向かって順に、
負屈折力を有する第１像側レンズ群と、正屈折力を有する第２像側レンズ群と、負屈折力を有する第３像側レンズ群と、正屈折力を有し、位置が固定の第４像側レンズ群と、からなるか、又は、
正屈折力を有し、位置が固定のレンズ群と、負屈折力を有する第１像側レンズ群と、正屈折力を有する第２像側レンズ群と、負屈折力を有する第３像側レンズ群と、正屈折力を有し、位置が固定の第４像側レンズ群と、からなり、
前記第１像側レンズ群、前記第２像側レンズ群及び前記第３像側レンズ群のうち何れか一つのレンズ群は、無限遠物体から近距離物体への合焦の際に光軸に沿って移動する合焦レンズ群であり、残りの２つのレンズ群のうち、一方のレンズ群はブレ補正レンズ群で、他方のレンズ群は位置が固定のレンズ群であり、
前記ブレ補正レンズ群は、結像レンズ系のブレによる像のブレを軽減させるように光軸の方向とは異なる方向に移動し、
以下の条件式（２）を満足することを特徴とする結像レンズ系。
０．２＜ｆR1／ｆR3＜３．６      （２）
ただし、
ｆR1は、前記第１像側レンズ群の焦点距離、
ｆR3は、前記第３像側レンズ群の焦点距離、
である。
【請求項３】
開口絞りと、前記開口絞りの物体側に配置された物体側レンズ群グループと、前記開口絞りよりも像側に配置された像側レンズ群グループと、からなり、
前記物体側レンズ群グループは、複数のレンズを含み、正屈折力を有し、且つ位置が固定され、
前記像側レンズ群グループは、光軸に沿って前記開口絞りから像側に向かって順に、
負屈折力を有する第１像側レンズ群と、正屈折力を有する第２像側レンズ群と、負屈折力を有する第３像側レンズ群と、正屈折力を有し、位置が固定の第４像側レンズ群と、からなるか、又は、
正屈折力を有し、位置が固定のレンズ群と、負屈折力を有する第１像側レンズ群と、正屈折力を有する第２像側レンズ群と、負屈折力を有する第３像側レンズ群と、正屈折力を有し、位置が固定の第４像側レンズ群と、からなり、
前記第１像側レンズ群、前記第２像側レンズ群及び前記第３像側レンズ群のうち何れか一つのレンズ群は、無限遠物体から近距離物体への合焦の際に光軸に沿って移動する合焦レンズ群であり、残りの２つのレンズ群のうち、一方のレンズ群はブレ補正レンズ群で、他方のレンズ群は位置が固定のレンズ群であり、
前記ブレ補正レンズ群は、結像レンズ系のブレによる像のブレを軽減させるように光軸の方向とは異なる方向に移動し、
以下の条件式（３）を満足することを特徴とする結像レンズ系。
０．０８＜ｆR2／ｆ＜０．３３      （３）
ただし、
ｆR2は、前記第２像側レンズ群の焦点距離、
ｆは、無限遠物体合焦時における前記結像レンズ系の焦点距離、
である。
【請求項４】
以下の条件式（１）を満足することを特徴とする請求項１〜３の何れか一項に記載の結像レンズ系。
０．０６＜｜ｆfo／ｆ｜＜０．４      （１）
ただし、
ｆは、無限遠物体合焦時における前記結像レンズ系の焦点距離、
ｆfoは、前記合焦レンズ群の焦点距離、
である。
【請求項５】
以下の条件式（２）を満足することを特徴とする請求項１〜４の何れか一項に記載の結像レンズ系。
０．２＜ｆR1／ｆR3＜３．６      （２）
ただし、
ｆR1は、前記第１像側レンズ群の焦点距離、
ｆR3は、前記第３像側レンズ群の焦点距離、
である。
【請求項６】
以下の条件式（３）を満足することを特徴とする請求項１〜５の何れか一項に記載の結像レンズ系。
０．０８＜ｆR2／ｆ＜０．３３      （３）
ただし、
ｆR2は、前記第２像側レンズ群の焦点距離、
ｆは、無限遠物体合焦時における前記結像レンズ系の焦点距離、
である。
【請求項７】
前記合焦レンズ群は、前記第１像側レンズ群であることを特徴とする請求項１〜６の何れか一項に記載の結像レンズ系。
【請求項８】
前記合焦レンズ群は２枚以下のレンズからなることを特徴とする請求項１〜７の何れか一項に記載の結像レンズ系。
【請求項９】
前記合焦レンズ群は、１枚の正レンズと１枚の負レンズとからなることを特徴とする請求項１〜８の何れか一項に記載の結像レンズ系。
【請求項１０】
前記ブレ補正レンズ群は、複数のレンズと、所定のレンズと、を有し、
前記複数のレンズは、前記ブレ補正レンズ群と符号が同じ屈折力を有し、
前記所定のレンズは、前記ブレ補正レンズ群と符号が異なる屈折力を有することを特徴とする請求項１〜９の何れか一項に記載の結像レンズ系。
【請求項１１】
前記第１像側レンズ群は前記合焦レンズ群であり、
前記第３像側レンズ群は、前記ブレ補正レンズ群であることを特徴とする請求項１〜１０の何れか一項に記載の結像レンズ系。
【請求項１２】
以下の条件式（４）を満足するブレ補正レンズ群を有することを特徴とする請求項１〜１０の何れか一項に記載の結像レンズ系。
０．８＜｜ＭＧISback×（ＭＧIS−１）｜＜５．０      （４）
ただし、
ＭＧISは、任意の合焦状態での前記ブレ補正レンズ群の横倍率、
ＭＧISbackは、前記任意の合焦状態での、前記ブレ補正レンズ群と像面との間の光学系全体の横倍率、
である。
【請求項１３】
前記合焦レンズ群が以下の条件式（５）を満足することを特徴とする請求項１〜１２の何れか一項に記載の結像レンズ系。
１．５＜｜（ＭＧfoback）2×｛（ＭＧfo）2−１｝｜＜８．０      （５）
ただし、
ＭＧfo は、任意の合焦状態での前記合焦レンズ群の横倍率、
ＭＧfobackは、前記任意の合焦状態での、前記合焦レンズ群と像面との間の光学系全体の横倍率、
である。
【請求項１４】
前記合焦レンズ群よりも物体側の全てのレンズで構成される光学系が以下の条件式（６）を満足する正屈折力を有することを特徴とする請求項１〜１３の何れか一項に記載の結像レンズ系。
−４．５＜ｆFA／ｆfo＜−１．５      （６）
ただし、
ｆFAは、前記合焦レンズ群よりも物体側の全てのレンズで構成される光学系の焦点距離、
ｆfoは、前記合焦レンズ群の焦点距離、
である。
【請求項１５】
前記第１像側レンズ群が前記ブレ補正レンズ群であり、前記第１像側レンズ群よりも物体側で、且つ、前記開口絞りと隣り合う位置に正屈折力を有するレンズ群が配置され、
前記第１像側レンズ群と前記正屈折力を有するレンズ群との間に他のレンズが無いことを特徴とする請求項１〜６の何れか一項に記載の結像レンズ系。
【請求項１６】
以下の条件式（７）が満足されていることを特徴とする請求項１〜１５の何れか一項に記載の結像レンズ系。
０≦｜ｆ／ｒG2b｜＜７．０      （７）
ただし、
ｆは、無限遠物体合焦時における前記結像レンズ系の焦点距離、
ｒG2bは、前記合焦レンズ群の物体側直前のレンズ面の近軸曲率半径、
である。
【請求項１７】
以下の条件式（８）が満足されていることを特徴とする請求項１〜１６の何れか一項に記載の結像レンズ系。
０．５≦Φfo／ΦLa≦０．９２      （８）
ただし、
Φfoは、前記合焦レンズ群を構成するレンズの有効口径のうち、最大となる有効口径、
ΦLaは、前記結像レンズ系の中で最も像側に位置するレンズにおける最大有効口径、
である。
【請求項１８】
以下の条件式（９）が満足されていることを特徴とする請求項１〜１７の何れか一項に記載の結像レンズ系。
０．０２３≦Ｄsfo／ＤLTL≦０．１１０      （９）
ただし、
Ｄsfoは、前記開口絞りから前記合焦レンズ群の最も物体側のレンズ面までの光軸上の距離、
ＤLTLは、前記結像レンズ系の最も物体側のレンズ面から像面までの光軸上の距離であって、
いずれの距離も無限遠物体合焦時の距離、
である。
【請求項１９】
以下の条件式（１０）が満足されていることを特徴とする請求項１〜１８の何れか一項に記載の結像レンズ系。
０．２≦Ｄsfo／φs≦０．８      （１０）
ただし、
Ｄsfoは、前記開口絞りから前記合焦レンズ群の最も物体側のレンズ面までの光軸上の距離であって、無限遠物体合焦時の距離、
φsは、前記開口絞りの最大直径、
である。
【請求項２０】
前記合焦レンズ群より像側に位置する光学系は、少なくとも正レンズ２枚と負レンズ１枚を有することを特徴とする請求項１〜１９の何れか一項に記載の結像レンズ系。
【請求項２１】
光学系と、
撮像面を持ち、且つ、前記光学系により前記撮像面上に形成された像を電気信号に変換する撮像素子と、を有し、
前記光学系が請求項１〜２０の何れか一項に記載の結像レンズ系であることを特徴とする撮像装置。
【手続補正２】
【補正対象書類名】明細書
【補正対象項目名】０００９
【補正方法】変更
【補正の内容】
【０００９】
上述した課題を解決し、目的を達成するために、本発明の結像レンズ系は、
開口絞りと、開口絞りの物体側に配置された物体側レンズ群グループと、開口絞りよりも像側に配置された像側レンズ群グループと、からなり、
物体側レンズ群グループは、複数のレンズを含み、正屈折力を有し、且つ位置が固定され、
像側レンズ群グループは、光軸に沿って開口絞りから像側に向かって順に、
負屈折力を有する第１像側レンズ群と、正屈折力を有する第２像側レンズ群と、負屈折力を有する第３像側レンズ群と、正屈折力を有し、位置が固定の第４像側レンズ群と、からなるか、又は、
正屈折力を有し、位置が固定のレンズ群と、負屈折力を有する第１像側レンズ群と、正屈折力を有する第２像側レンズ群と、負屈折力を有する第３像側レンズ群と、正屈折力を有し、位置が固定の第４像側レンズ群と、からなり、
第１像側レンズ群、第２像側レンズ群及び第３像側レンズ群のうち何れか一つのレンズ群は、無限遠物体から近距離物体への合焦の際に光軸に沿って移動する合焦レンズ群であり、残りの２つのレンズ群のうち、一方のレンズ群はブレ補正レンズ群で、他方のレンズ群は位置が固定のレンズ群であり、
ブレ補正レンズ群は、結像レンズ系のブレによる像のブレを軽減させるように光軸の方向とは異なる方向に移動し、
以下の条件式（１）を満足することを特徴とする。
０．０６＜｜ｆfo／ｆ｜＜０．４      （１）
ただし、
ｆは、無限遠物体合焦時における結像レンズ系の焦点距離、
ｆfoは、合焦レンズ群の焦点距離、
である。
【手続補正３】
【補正対象書類名】明細書
【補正対象項目名】００１０
【補正方法】変更
【補正の内容】
【００１０】
また、本発明の結像レンズ系は、
開口絞りと、開口絞りの物体側に配置された物体側レンズ群グループと、開口絞りよりも像側に配置された像側レンズ群グループと、からなり、
物体側レンズ群グループは、複数のレンズを含み、正屈折力を有し、且つ位置が固定され、
像側レンズ群グループは、光軸に沿って開口絞りから像側に向かって順に、
負屈折力を有する第１像側レンズ群と、正屈折力を有する第２像側レンズ群と、負屈折力を有する第３像側レンズ群と、正屈折力を有し、位置が固定の第４像側レンズ群と、からなるか、又は、
正屈折力を有し、位置が固定のレンズ群と、負屈折力を有する第１像側レンズ群と、正屈折力を有する第２像側レンズ群と、負屈折力を有する第３像側レンズ群と、正屈折力を有し、位置が固定の第４像側レンズ群と、からなり、
第１像側レンズ群、第２像側レンズ群及び第３像側レンズ群のうち何れか一つのレンズ群は、無限遠物体から近距離物体への合焦の際に光軸に沿って移動する合焦レンズ群であり、残りの２つのレンズ群のうち、一方のレンズ群はブレ補正レンズ群で、他方のレンズ群は位置が固定のレンズ群であり、
ブレ補正レンズ群は、結像レンズ系のブレによる像のブレを軽減させるように光軸の方向とは異なる方向に移動し、
以下の条件式（２）を満足することを特徴とする。
０．２＜ｆR1／ｆR3＜３．６      （２）
ただし、
ｆR1は、第１像側レンズ群の焦点距離、
ｆR3は、第３像側レンズ群の焦点距離、
である。
【手続補正４】
【補正対象書類名】明細書
【補正対象項目名】００１１
【補正方法】変更
【補正の内容】
【００１１】
また、本発明の結像レンズ系は、
開口絞りと、開口絞りの物体側に配置された物体側レンズ群グループと、開口絞りよりも像側に配置された像側レンズ群グループと、からなり、
物体側レンズ群グループは、複数のレンズを含み、正屈折力を有し、且つ位置が固定され、
像側レンズ群グループは、光軸に沿って開口絞りから像側に向かって順に、
負屈折力を有する第１像側レンズ群と、正屈折力を有する第２像側レンズ群と、負屈折力を有する第３像側レンズ群と、正屈折力を有し、位置が固定の第４像側レンズ群と、からなるか、又は、
正屈折力を有し、位置が固定のレンズ群と、負屈折力を有する第１像側レンズ群と、正屈折力を有する第２像側レンズ群と、負屈折力を有する第３像側レンズ群と、正屈折力を有し、位置が固定の第４像側レンズ群と、からなり、
第１像側レンズ群、第２像側レンズ群及び第３像側レンズ群のうち何れか一つのレンズ群は、無限遠物体から近距離物体への合焦の際に光軸に沿って移動する合焦レンズ群であり、残りの２つのレンズ群のうち、一方のレンズ群はブレ補正レンズ群で、他方のレンズ群は位置が固定のレンズ群であり、
ブレ補正レンズ群は、結像レンズ系のブレによる像のブレを軽減させるように光軸の方向とは異なる方向に移動し、
以下の条件式（３）を満足することを特徴とする。
０．０８＜ｆR2／ｆ＜０．３３      （３）
ただし、
ｆR2は、第２像側レンズ群の焦点距離、
ｆは、無限遠物体合焦時における結像レンズ系の焦点距離、
である。
【手続補正５】
【補正対象書類名】明細書
【補正対象項目名】０１０１
【補正方法】変更
【補正の内容】
【０１０１】
また、本発明の好ましい態様では以下の条件式（７）が満足されていることが望ましい。
０≦｜ｆ／ｒG2b｜＜７．０      （７）
ただし、
ｆは、無限遠物体合焦時における結像レンズ系の焦点距離、
ｒG2bは、合焦レンズ群の物体側直前のレンズ面の近軸曲率半径、
である。
【手続補正６】
【補正対象書類名】明細書
【補正対象項目名】０１０６
【補正方法】変更
【補正の内容】
【０１０６】
また、本発明の好ましい態様では、以下の条件式（９）が満足されていることが好ましい。
０．０２３≦Ｄsfo／ＤLTL≦０．１１０      （９）
ただし、
Ｄsfoは、開口絞りから合焦レンズ群の最も物体側のレンズ面までの光軸上の距離、
ＤLTLは、結像レンズ系の最も物体側のレンズ面から像面までの光軸上の距離であって、
いずれの距離も無限遠物体合焦時の距離、
である。
【手続補正７】
【補正対象書類名】明細書
【補正対象項目名】０１０８
【補正方法】変更
【補正の内容】
【０１０８】
また、本発明の好ましい態様では、以下の条件式（１０）が満足されていることが好ましい。
０．２≦Ｄsfo／φs≦０．８      （１０）
ただし、
Ｄsfoは、開口絞りから合焦レンズ群の最も物体側のレンズ面までの光軸上の距離であって、無限遠物体合焦時の距離、
φsは、開口絞りの最大直径、
である。